(57)【要約】【課題】オペレータが入院患者の登録を行うタイミングを限定させずに、オペレータが入院患者の登録を行うだけで正確な入院日時を登録できるようにする。【解決手段】患者情報およびその患者に携行させるタグ１の識別情報を入院患者情報として登録する登録装置１０と、タグ１から識別情報を読み取る読取装置２と、現在日時情報を出力するカレンダー装置３とを備え、登録装置１０は、読取装置２がタグ１から識別情報を読み取った場合に、その識別情報が最初に読み取られたものか否かを判定し、最初に読み取られたものであると判定したときに、カレンダー装置３から現在日時情報を取得して、その識別情報と一致する識別情報が入院患者情報として存在した場合に、入院日時情報として記憶させるので、オペレータが患者情報を登録する前後にタグ１が読取装置２によってはじめて読み取られた場合、その現在日時情報が入院日時情報として自動的に登録される。【選択図】図１
2013246537.tif 000002
【特許請求の範囲】
【請求項１】
入院患者によって携行され、識別情報を記憶するタグと、
前記入院患者の患者情報およびその入院患者によって携行されるタグに記憶された識別情報を入院患者情報として入力する入力部と、前記入院患者情報を記憶する記憶部と、前記入院患者が退院する場合に、少なくとも前記識別情報を前記記憶部から消去するために操作される消去操作部と、前記入力部によって入力された入院患者情報を前記記憶部に記憶させるとともに、前記消去操作部によって消去の操作が行われた識別情報を前記記憶部から消去させる制御部とを有する登録装置と、
各病室に設置されており、病室内に入ったタグから識別情報を読み取る読取装置と、
現在日時情報を出力するカレンダー装置とを備えた看護支援システムであって、
前記登録装置が、前記読取装置が前記タグから前記識別情報を読み取った場合に、その識別情報が最初に読み取られたものか否かを判定する判定部と、最初に読み取られたものであると前記判定部にて判定した場合に、前記カレンダー装置から前記現在日時情報を取得して、その識別情報と一致する識別情報が入院患者情報として前記記憶部に記憶された場合、または前記記憶部に記憶されていた場合に、前記現在日時情報を入院日時情報として前記記憶部に記憶させる入院日時登録部とを備えたことを特徴とする看護支援システム。
【発明の詳細な説明】
【技術分野】
【０００１】
本発明は、病院などの施設における入院患者の登録を行う看護支援システムに関する。
【背景技術】
【０００２】
一般的に、病院などの施設では、患者が入院した日時と患者が退院した日時とを特定し、それによって得られる入院期間を用いて入院患者の医療費を算定していた。この入院期間を得るためには、入院日時や退院日時を患者毎に登録しておく必要があった。これらの登録作業は、オペレータによって行われていた（例えば、特許文献１参照）。
【０００３】
しかしながら、オペレータが入院日時を入力するためには、患者が実際に入院した日時を確認する必要があるため、オペレータが入院日時を正確に入力するためには、手間がかかってしまうという問題があった。
【０００４】
このような問題を解決するために、オペレータが入院患者の登録を行った現在日時情報を取得して自動的に入院日時情報として登録することが考えられる。しかしながら、オペレータが入院患者の登録を行った現在日時情報を用いた場合、正確な入院日時を入力するためには、オペレータは患者が実際に入院した時刻の近傍で入力を行わなければならないため、オペレータに負担をかけてしまうという問題があった。
【先行技術文献】
【特許文献】
【０００５】
【特許文献１】特開２００９−２０９０７号公報
【発明の概要】
【発明が解決しようとする課題】
【０００６】
本発明は、このような問題を解決するために成されたものであり、オペレータが入院患者の登録を行うタイミングを限定させずに、オペレータが入院患者の登録を行うだけで正確な入院日時を登録できるようにすることを目的とする。
【課題を解決するための手段】
【０００７】
上述した課題を解決するために、本発明では、入院患者の患者情報およびその入院患者に携行させるタグに記憶された識別情報を入院患者情報として登録する登録装置と、各病室に設置されており、タグから識別情報を読み取る読取装置と、現在日時情報を出力するカレンダー装置とを備え、登録装置は、読取装置がタグから識別情報を読み取った場合に、その識別情報が最初に読み取られたものか否かを判定し、最初に読み取られたものであると判定したときに、カレンダー装置から現在日時情報を取得して、その識別情報と一致する識別情報が入院患者情報として登録された場合、または、登録されていた場合に、その現在日時情報を入院日時情報として登録するとともに、退院時にその識別情報を消去するようにしている。
【発明の効果】
【０００８】
上記のように構成した本発明によれば、入院患者の患者情報を登録する前後に、患者が携行しているタグが病室に設置されている読取装置によってはじめて読み取られた場合に、その現在日時情報が入院日時情報として登録されるので、オペレータが入院患者の登録を行うタイミングを限定せずに、オペレータが入院患者の登録を行うだけで正確な入院日時を登録することができる。従って、オペレータに負担をかけないようにすることができる。
【図面の簡単な説明】
【０００９】
【図１】本実施形態による看護支援システムの構成例を示すブロック図である。
【図２】本実施形態の看護支援システムの動作を示すフローチャートである。
【発明を実施するための形態】
【００１０】
以下、本発明の一実施形態を図面に基づいて説明する。図１は、本実施形態による看護支援システムの構成例を示すブロック図である。図１において、１は患者によって携行されるタグであり、２は各病室に設置される読取装置である。ここで、タグ１は、内部に記憶した識別情報を無線送信することができる。また、この識別情報は、患者毎に異なる。また、読取装置２は、所定の距離（例えば、１ｍなど）に近付いたタグ１に電源を供給し、そのタグ１から送信された識別情報を受信する。また。読取装置２は、有線などにより後述する登録装置１０に接続されている。
【００１１】
３はカレンダー装置であり、現在日時情報を生成している。ここで、カレンダー装置３は、時計などにより構成されている。また、カレンダー装置３は、有線などにより後述する登録装置１０に接続されている。
【００１２】
１０は登録装置であり、入院患者の患者情報（例えば、患者氏名など）、および、入院した患者が携行するタグ１の識別情報を登録するオペレータによって使用される。また、登録装置１０は、入院患者が入院した日時を示す入院日時情報を登録するために使用される。また、登録装置１０は、看護師が常駐するナースステーションなどに設置されている。ここで、登録装置１０は、制御部１１ａ、判定部１１ｂ、入院日時登録部１１ｃ、インターフェース１２、入力部１３、記憶部１４、消去操作部１５を備えて構成されている。また、制御部１１ａ、判定部１１ｂ、入院日時登録部１１ｃは、ＣＰＵ（Central Processing Unit）１１などにより構成されている。また、入院日時情報は、入院した患者の患者情報およびタグ１の識別情報に関連付けて後述する記憶部１４に記憶される。
【００１３】
制御部１１ａは、登録装置１０の各構成要素を後述するように制御するためのものである。インターフェース１２は、登録装置１０と各読取装置２およびカレンダー装置３とを接続して通信を行うためのものである。入力部１３は、入院患者の患者情報、および、その入院患者によって携行されるタグ１に記憶されている識別情報を入院患者情報として入力するためのものであり、キーボードやタッチパネルなどにより構成されている。
【００１４】
記憶部１４は、入力部１３によって入力された入院患者情報を記憶するためのものであり、メモリやハードディスクドライブなどにより構成されている。消去操作部１５は、入院患者が退院する場合に、その入院患者が携行していたタグ１から取得して記憶部１４に記憶されている識別情報および入院日時情報を消去するために操作される。
【００１５】
患者が入院する場合（または患者が入院した場合）に、入力部１３によって入院患者の患者情報、および、その入院患者によって携行されるタグ１に記憶されている識別情報が入力されると、制御部１１ａは、入力された各情報を関連付けて入院患者情報として記憶部１４に記憶させる。この入力作業は、患者が入院する前に行われても良いし、患者が入院した後に行われても良い。その後、後述するように、入院患者情報に関連付けて入院日時情報が記憶部１４に記憶される。また、入院患者が退院する場合に、消去操作部１５によって退院する患者の患者情報に関連付けて記憶されている識別情報および入院日時情報を消去する操作が行われると、制御部１１ａは、記憶部１４からそれらの情報を消去する。
【００１６】
なお、退院する患者が再度入院する可能性もあるため、本実施形態では識別情報に関連付けて記憶されている患者情報を消去していないが、識別情報と患者情報とを含む入院患者情報および入院日時情報を全て消去するようにしても良い。また、入力部１３および消去操作部１５を共通としても良い。
【００１７】
判定部１１ｂは、読取装置２がタグ１から識別情報を読み取り、インターフェース１２がその識別情報を入力した場合に動作し、その識別情報が最初に読み取られたものか否かを判定する。ここで、識別情報が最初に読み取られたか否かは、記憶部１４に記憶されている入院患者情報の識別情報と比較することによって判定される。
【００１８】
具体的には、入院患者情報として識別情報が記憶されていない場合には、その識別情報は最初に読み取られたものであると判定部１１ｂにより判定される。また、入院患者情報として識別情報が記憶されているものの、入院日時情報が入院患者情報に関連付けて記憶部１４に記憶されていない場合にも、その識別情報は最初に読み取られたものであると判定部１１ｂにより判定される。また、入院患者情報として識別情報が記憶されており、入院日時情報が入院患者情報に関連付けて記憶部１４に記憶されている場合には、その識別情報は最初に読み取られたものではないと判定部１１ｂにより判定される。
【００１９】
入院日時登録部１１ｃは、インターフェース１２にて入力した識別情報が最初に読み取られたものであると判定部１１ｂによって判定した場合に動作し、カレンダー装置３から現在日時情報を取得して、インターフェース１２にて入力した識別情報と一致する識別情報が入院患者情報として記憶部１４に記憶されている場合に、取得した現在日時情報を入院日時情報として入院患者情報に関連付けて記憶部１４に記憶させる。
【００２０】
一方、インターフェース１２にて入力した識別情報と一致する識別情報が入院患者情報として記憶部１４に記憶されていない場合には、その入院患者情報が入力された時点で、入院日時登録部１１ｃは、取得しておいた現在日時情報を入院日時情報として入院患者情報に関連付けて記憶部１４に記憶させる。
【００２１】
次に、本実施形態の看護支援システムの具体的な動作について説明する。図２は、本実施形態による看護支援システムの動作、特に登録装置１０の動作を示すフローチャートである。まず、入力部１３により入院患者情報が入力されたか否かを制御部１１ａにて調べる（ステップＳ１）。入院患者情報が入力されていないと制御部１１ａにて判定した場合には（ステップＳ１にてＮＯ）、読取装置２がタグ１から識別情報を読み取ったか否か、換言すると、インターフェース１２が識別情報を入力したか否かを制御部１１ａにて調べる（ステップＳ２）。
【００２２】
読取装置２がタグ１から識別情報を読み取っていないと制御部１１ａにて判定した場合には（ステップＳ２にてＮＯ）、ステップＳ１の処理に戻る。一方、読取装置２がタグ１から識別情報を読み取ったと制御部１１ａにて判定した場合には（ステップＳ２にてＹＥＳ）、入院日時登録部１１ｃは、識別情報を抽出するとともに、カレンダー装置３から現在日時情報を取得してステップＳ１の処理に戻る。
【００２３】
また、入院患者情報が入力されたと制御部１１ａにて判定した場合には（ステップＳ１にてＹＥＳ）、制御部１１ａは、その入院患者情報を記憶部１４に記憶させる（ステップＳ４）。そして、その入院患者情報に含まれる識別情報と一致する識別情報が既に読取装置２により読み取られているかを判定部１１ｂにて調べる（ステップＳ５）。ここで、ステップＳ５の処理は、上述した、識別情報が最初に読み取られたものであるか否かの判定に該当する。
【００２４】
入院患者情報に含まれる識別情報と一致する識別情報が既に読取装置２により読み取られていると判定部１１ｂにて判定した場合には（ステップＳ５にてＹＥＳ）、入院日時登録部１１ｃは、ステップＳ３にてカレンダー装置３から取得しておいた現在日時情報を入院日時情報として入院患者情報に関連付けて記憶部１４に記憶させる（ステップＳ６）。
【００２５】
一方、その入院患者情報に含まれる識別情報と一致する識別情報が読取装置２により読み取られていないと判定部１１ｂにて判定した場合には（ステップＳ５にてＮＯ）、読取装置２がタグ１から識別情報を読み取ったか否か、換言すると、インターフェース１２が識別情報を入力したか否かを制御部１１ａにて調べる（ステップＳ７）。読取装置２がタグ１から識別情報を読み取っていないと制御部１１ａにて判定した場合には（ステップＳ７にてＮＯ）、ステップＳ７の処理を繰り返す。
【００２６】
また、読取装置２がタグ１から識別情報を読み取ったと制御部１１ａにて判定した場合には（ステップＳ７にてＹＥＳ）、読み取った識別情報と一致する識別情報が入院患者情報として既に記憶されているか否かを判定部１１ｂにて調べる（ステップＳ８）。ここで、ステップＳ８の処理も、上述した、識別情報が最初に読み取られたものであるか否かの判定に該当する。読み取った識別情報と一致する識別情報が入院患者情報として記憶されていないと判定部１１ｂにて判定した場合には（ステップＳ８にてＮＯ）、ステップＳ１の処理に戻る。
【００２７】
一方、読み取った識別情報と一致する識別情報と一致する識別情報が既に入院患者情報として記憶されていると判定部１１ｂにて判定した場合には（ステップＳ８にてＹＥＳ）、入院日時登録部１１ｃは、カレンダー装置３から現在日時情報を取得して入院日時情報としてその入院患者情報に関連付けて記憶部１４に記憶させる（ステップＳ９）。
【００２８】
以上詳しく説明したように、本実施形態によれば、入院患者の患者情報およびその入院患者に携行させるタグ１に記憶された識別情報を入院患者情報として登録する登録装置１０と、各病室に設置されており、タグ１から識別情報を読み取る読取装置２と、現在日時情報を出力するカレンダー装置３とを備え、登録装置１０は、読取装置２がタグ１から識別情報を読み取った場合に、その識別情報が最初に読み取られたものか否かを判定し、最初に読み取られたものであると判定したときに、カレンダー装置３から現在日時情報を取得して、その識別情報と一致する識別情報が入院患者情報として登録された場合、または、登録されていた場合に、その現在日時情報を入院日時情報として記憶部１４に記憶させるようにしている。また、その患者が退院する場合には、少なくとも識別情報を消去するようにしている。
【００２９】
これにより、オペレータが入院患者の患者情報を登録する前後に、患者が携行しているタグ１が病室に設置されている読取装置２によってはじめて読み取られた場合に、その現在日時情報が入院日時情報として登録装置１０に自動的に登録されるので、オペレータが入院患者の登録を行うタイミングを限定せずに、オペレータが入院患者の登録を行うだけで正確な入院日時を登録することができる。従って、オペレータに負担をかけないようにすることができる。
【００３０】
なお、前述した実施形態では、入院した後も入院患者にタグ１を携行させているため、読取装置２がタグ１から識別情報を何度も読み取ることになるが、これに限定されない。例えば、入院した後に患者からタグ１を返却させるようにしても良い。これにより、読取装置２がタグ１から識別情報を何度も読み取ることが無くなる。ただし、このように場合には、返却した患者が退院するまで、同一の識別情報が記憶されたタグ１を他の患者に携行させないようにする必要がある。
【００３１】
その他、上記実施形態は、本発明を実施するにあたっての具体化の一例を示したものに過ぎず、これによって本発明の技術的範囲が限定的に解釈されてはならないものである。すなわち、本発明はその精神、またはその主要な特徴から逸脱することなく、様々な形で実施することができる。
【符号の説明】
【００３２】
１    タグ
２    読取装置
３    カレンダー装置
１０    登録装置
１１    ＣＰＵ
１１ａ    制御部
１１ｂ    判定部
１１ｃ    入院日時登録部
１２    インターフェース
１３    入力部
１４    記憶部
１５    消去操作部
【図１】
2013246537.tif 000003
【図２】
2013246537.tif 000004